(57)【要約】【課題】ユーザの嗜好に合ったコンテンツを適切なタイミングで再生することができるコンテンツ再生装置を提供する。【解決手段】コンテンツ再生装置１は、判定部５ｂと切り替え部５ｃとを備える。判定部５ｂは、過去にコンテンツが切り替えられた時間、位置および周辺状況が示す過去の状態に現在の状態が合致または類似するか否かを判定する。切り替え部５ｃは、再生するコンテンツを、判定部５ｂにより現在の状態に合致または類似すると判定された過去の状態で切り替えられたコンテンツに切り替える。【選択図】図１
2016143435.tif 000002
【特許請求の範囲】
【請求項１】
過去にコンテンツが切り替えられた時間、位置および周辺状況が示す過去の状態に現在の状態が合致または類似するか否かを判定する判定部と、
再生するコンテンツを、前記判定部により現在の状態に合致または類似すると判定された過去の状態において切り替えられたコンテンツに切り替える切り替え部と
を備えたことを特徴とするコンテンツ再生装置。
【請求項２】
コンテンツが切り替えられた時間、位置、周辺状況、切り替え前後のコンテンツを取得して、履歴情報として記憶部に記憶する情報取得部を備え、
前記判定部は、履歴情報に基づいて、過去にコンテンツが切り替えられた時間、位置および周辺状況が示す過去の状態に現在の状態が合致または類似するか否かを判定し、
前記切り替え部は、再生するコンテンツを、前記判定部が現在の状態に合致または類似すると判定した過去の状態の履歴情報における切り替え後のコンテンツに切り替えることを特徴とする請求項１記載のコンテンツ再生装置。
【請求項３】
前記切り替え部は、再生するコンテンツを、前記判定部が現在の状態に合致または類似すると判定した過去の状態の履歴情報における切り替え後のコンテンツのうち、過去に切り替えられた回数が多いコンテンツに優先して切り替えることを特徴とする請求項１または請求項２記載のコンテンツ再生装置。
【請求項４】
前記切り替え部は、再生するコンテンツを、前記判定部が現在の状態に合致または類似すると判定した過去の状態の履歴情報のうち、過去にコンテンツが切り替えられた回数が多い周辺状況を含む履歴情報における切り替え後のコンテンツに優先して切り替えることを特徴とする請求項１または請求項２記載のコンテンツ再生装置。
【請求項５】
優先するコンテンツを上位に並べたリストを表示部に表示し、切り替えの可否の入力を受け付ける入出力制御部を備えたことを特徴とする請求項３または請求項４記載のコンテンツ再生装置。
【請求項６】
コンテンツが切り替えられた時間は、切り替え時間に加えて時間帯および季節のうちの少なくとも１つを含むことを特徴とする請求項１から請求項５のうちのいずれか１項記載のコンテンツ再生装置。
【請求項７】
コンテンツが切り替えられた位置の周辺状況は、天気、気温および地物のうちの少なくとも１つを含むことを特徴とする請求項１から請求項６のうちのいずれか１項記載のコンテンツ再生装置。
【発明の詳細な説明】
【技術分野】
【０００１】
この発明は、記録メディア、放送などの複数のコンテンツソースのコンテンツを再生できるコンテンツ再生装置に関する。
【背景技術】
【０００２】
従来から、複数のコンテンツソースのコンテンツを再生できるコンテンツ再生装置が提案されている。コンテンツソースには、例えば、ＡＭまたはＦＭのアナログラジオ放送、デジタルラジオ放送、地上波デジタル放送、記録メディアなどがある。
また、デジタルラジオ放送には、ＤＡＢ（Ｄｉｇｉｔａｌ  Ａｕｄｉｏ  Ｂｒｏａｄｃａｓｔ）、Ｓｉｒｉｕｓ、ＸＭ、インターネットをソースとするものがある。記録メディアには、ＣＤ、ＤＶＤ、ＢＤ（Ｂｌｕ−ｌａｙ  Ｄｉｓｃ；登録商標）などのディスク、ＨＤＤ、ＳＤカード、ＵＳＢメモリが挙げられる。
【０００３】
コンテンツソースのうち、ラジオ放送、テレビ放送は、放送電波を受信できない環境下では正常にコンテンツを再生できない。このような場合、前述したコンテンツ再生装置では、別のコンテンツソースのコンテンツに切り替えて再生することができる。
例えば、特許文献１に記載される装置では、放送波の受信状態の悪化またはオーディオの演奏が終了した場合に、予め登録されたコンテンツに自動的に切り替えている。
【０００４】
特許文献２に記載されるナビゲーション装置では、放送電波の受信が困難な地域に進入しても短時間で抜け出せる場合、現在再生しているコンテンツが切り替わらないよう設定することができる。また、放送電波の受信が困難な地域に進入した状態が長時間継続することが予測される場合は、放送のコンテンツから放送以外のコンテンツに自動で切り替えることもできる。なお、切り替え元と切り替え先のコンテンツはユーザが予め登録する。
【０００５】
特許文献３に記載される放送受信機では、ユーザによって放送チャンネルの切り替えが行われたときの状況を切り替え情報として記憶しておき、この切り替え情報における状況に現在の状況が合致した時点で放送チャンネルを自動的に切り替えている。
切り替え先の放送チャンネルは、切り替え情報が記憶されたときにユーザが切り替えた放送チャンネルである。なお、切り替え情報として記憶される状況は、放送チャンネルを切り替えた時刻、位置、切り替え先の放送チャンネル、ネットワークＩＤおよび放送局名などの放送波を特定するＩＤ、切り替え前後の受信状態を示す情報などである。
【先行技術文献】
【特許文献】
【０００６】
【特許文献１】特開平１１−３３９４５１号公報
【特許文献２】特開２０１３−１９５１１３号公報
【特許文献３】特開２００６−３１１２４９号公報
【発明の概要】
【発明が解決しようとする課題】
【０００７】
特許文献１および特許文献２に記載される装置では、切り替えるコンテンツをユーザが登録する手間があり、事前に登録されたコンテンツに切り替わるだけである。
このため、切り替えるときの状況によっては、再生できない不適切なコンテンツに切り替わる可能性がある。この場合、コンテンツをさらに切り替える必要があり不便である。
【０００８】
また、特許文献３に記載される装置は、過去に放送チャンネルを切り替えたときの受信状態を基準とした放送のコンテンツの切り替えを前提としており、放送以外のコンテンツの切り替えに利用することができない。
前述したようにコンテンツソースには放送以外にも様々であり、ユーザがコンテンツを切り替える状況も様々ある。例えば、夜間の高速道路の走行または早朝の移動において、ユーザは、眠気防止のためにアップテンポな楽曲に切り替えたい場合がある。また、同じ場所にいても、天気あるいは季節によって異なる楽曲に切り替えたい場合もある。
このようにコンテンツが切り替えられる状況は多様であり、受信状態に基づく状況だけでは、ユーザの嗜好に合ったコンテンツを適切なタイミングで再生することはできない。
【０００９】
この発明は、上記の課題を解決するもので、ユーザの嗜好に合ったコンテンツを適切なタイミングで再生することができるコンテンツ再生装置を得ることを目的とする。
【課題を解決するための手段】
【００１０】
この発明に係るコンテンツ再生装置は、過去にコンテンツが切り替えられた時間、位置および周辺状況が示す過去の状態に現在の状態が合致または類似するか否かを判定する判定部と、再生するコンテンツを、判定部により現在の状態に合致または類似すると判定された過去の状態で切り替えられたコンテンツに切り替える切り替え部とを備える。
【発明の効果】
【００１１】
この発明によれば、過去にコンテンツが切り替えられた状態に合致または類似した状態を判定することで、コンテンツを切り替える適切なタイミングを決定することができる。また、ユーザが切り替えた実績のあるコンテンツに切り替わるので、ユーザの嗜好に合ったコンテンツを再生することができる。
【図面の簡単な説明】
【００１２】
【図１】この発明の実施の形態１に係るコンテンツ再生装置の構成を示すブロック図である。
【図２】実施の形態１に係るコンテンツ再生装置による履歴情報の記憶動作を示すフローチャートである。
【図３】履歴情報を構成するパラメータの例を示す図である。
【図４】履歴情報の例を示す図である。
【図５】実施の形態１に係るコンテンツ再生装置によるコンテンツの切り替え動作を示すフローチャートである。
【図６】コンテンツリスト画面の例を示す図である。
【図７】コンテンツリスト画面の他の例を示す図である。
【発明を実施するための形態】
【００１３】
実施の形態１．
図１は、この発明の実施の形態１に係るコンテンツ再生装置１の構成を示すブロック図である。図１において、コンテンツ再生装置１は、例えば車載用のナビゲーション装置として実現される装置であり、様々なコンテンツソースのコンテンツを再生することができるＡＶ（Ａｕｄｉｏ  Ｖｉｓｕａｌ）機能を有している。
例えば、コンテンツ再生装置１は、受信部３と有線または無線で接続している。受信部３は、アンテナ２を介して、ラジオ放送、テレビ放送を受信し、インターネットに接続してデータを受信する。アンテナ２は、放送電波の受信アンテナとＷｉ−Ｆｉ用のアンテナで構成される。なお、本発明における「コンテンツ」は、音信号と映像信号の少なくとも一方を有するＡＶコンテンツであり、一般的なＡＶ機器で再生可能なコンテンツである。
【００１４】
センサ部４は、コンテンツ再生装置１を搭載する車両の周辺状況を検出するセンサ群であり、例えばＧＰＳ（Ｇｌｏｂａｌ  Ｐｏｓｉｔｉｏｎｉｎｇ  Ｓｙｓｔｅｍ）受信部、ジャイロセンサ、雨滴感知センサ、カメラ、温度センサなどを備えて構成される。
ＧＰＳ受信部がＧＰＳ衛星から受信したＧＰＳ情報を解析することにより、車両の位置（緯度経度）、現在時刻が検出される。ジャイロセンサは、車両の進行方向などを検出する。雨滴感知センサは、雨滴を感知して車両の周辺が雨天であるか否かを検出する。カメラは、車両の外部を撮像する車載用のカメラであり、車両周辺を撮像した映像から車両周辺の天気および地物を検出する。温度センサは、車両の外気温を検出する。これらの検出情報は、車両の周辺状況情報としてマイコン５に出力される。
【００１５】
マイコン５は、コンテンツ再生装置１に搭載された制御部であり、例えば、受信部３の選局制御、コンテンツソース７のコンテンツの再生切り替えを制御する。
その機能構成として、図１に示すように情報取得部５ａ、判定部５ｂ、切り替え部５ｃおよび入出力制御部５ｄを備える。
【００１６】
情報取得部５ａは、ユーザによってコンテンツが切り替えられた時間、そのときの車両位置、この位置の周辺状況、切り替え前後のコンテンツを取得して、これらの情報を履歴情報としてメモリ６に記憶する。
例えば、センサ部４が検出した周辺状況情報から、コンテンツが切り替えられた時間、そのときの車両位置、この位置の周辺状況を取得する。また、切り替え前後のコンテンツは、情報取得部５ａが切り替え部５ｃから取得する。
【００１７】
判定部５ｂは、ユーザによって過去にコンテンツが切り替えられた時間、位置および周辺状況が示す過去の状態に対して現在の状態が合致または類似するか否かを判定する。
例えば、コンテンツが切り替えられた時間、位置および周辺状況を判定条件として、メモリ６に記憶した履歴情報が示す過去の状態と情報取得部５ａによって取得された現在の状態とを比較する。この比較結果、判定条件の全ての項目が同じであると、過去の状態に現在の状態が合致していると判定される。また判定条件における一部の項目が同じである場合、過去の状態に現在の状態が類似していると判定される。
【００１８】
切り替え部５ｃは、再生するコンテンツを、判定部５ｂが現在の状態に合致または類似すると判定した過去の状態で切り替えられたコンテンツに切り替える。
例えば、現在の状態に合致または類似する過去の状態の履歴情報における切り替え後のコンテンツを特定し、コンテンツソース７を制御して上記コンテンツを再生させる。
入出力制御部５ｄは、切り替え対象のコンテンツのうち、優先するコンテンツを上位に並べたリストをディスプレイ１０に表示し、切り替えの可否の入力を受け付ける。
【００１９】
メモリ６は、情報取得部５ａが取得した情報を履歴情報として記憶する記憶部である。
コンテンツソース７は、コンテンツ再生装置１が再生可能な複数のコンテンツソースであり、受信部３により受信された放送を含む受信データ、ディスク再生部７ａ、無線通信部７ｂ、ＵＳＢ７ｃ、ＨＤＤ７ｄが含まれる。
ディスク再生部７ａは、ＣＤ、ＤＶＤ、ＢＤなどのディスクに記録されたコンテンツを読み出して再生する。例えば、ディスクからコンテンツを読み出すためのハードウェアおよびソフトウェアから構成される。
【００２０】
無線通信部７ｂは、外部機器で再生されたコンテンツを無線通信で受信する。無線通信には、例えば、Ｂｌｕｅｔｏｏｔｈ（登録商標）などの近距離無線通信が挙げられる。
無線通信部７ｂが受信したコンテンツの音声信号は、アンプ８で増幅されてスピーカ９から出力される。無線通信部７ｂが受信したコンテンツの映像信号は、ディスプレイ１０に表示される。
【００２１】
ＵＳＢ７ｃは、ＵＳＢメモリに記録されたコンテンツを読み出して再生する。例えば、ＵＳＢメモリからコンテンツを読み出すためのハードウェアおよびソフトウェアから構成される。ＨＤＤ７ｄは、ハードディスクに記録されたコンテンツを読み出して再生する。例えば、ハードディスクからコンテンツを読み出すハードウェアおよびソフトウェアから構成される。
入力部１１は、ユーザの入力操作を受け付ける。タッチパネル、ハードウェアキーなどを用いて実現される。
【００２２】
前述した、情報取得部５ａ、判定部５ｂ、切り替え部５ｃおよび入出力制御部５ｄは、例えば、マイコンのプロセッサがメモリに記憶されたプログラムを実行することにより、実現される。また、複数のプロセッサおよび複数のメモリが連携して上記機能を実行してもよい。
【００２３】
次に動作について説明する。
図２は、実施の形態１に係るコンテンツ再生装置１による履歴情報の記憶動作を示したフローチャートである。以降では、コンテンツ再生装置１が車両に搭載され、この車両の運転者がユーザであるものとして説明する。
【００２４】
コンテンツ再生装置１に電源投入され車両のエンジンが起動すると、マイコン５は、入力部１１を用いて入力された情報に基づいて、車両の運転者が事前に登録されたユーザであるか否かを照合する（ステップＳＴ１）。運転者が事前に登録されたユーザでなければ、ステップＳＴ１の処理を繰り返す。運転者が登録されたユーザである場合は、ステップＳＴ２へ移行する。
【００２５】
次に、マイコン５は、コンテンツの再生中に、運転者がコンテンツを切り替えたか否かを判定する（ステップＳＴ２）。例えば、入力部１１を使用してコンテンツの切り替えを切り替え部５ｃに指定する操作入力があったとき、マイコン５は、運転者がコンテンツを切り替えたと判定する。ここで、運転者が再生コンテンツを切り替えず（ステップＳＴ２；ＮＯ）、コンテンツ再生装置１の電源がオフされなければ（ステップＳＴ３；ＮＯ）、ステップＳＴ２の処理が繰り返される。電源がオフされれば（ステップＳＴ３；ＹＥＳ）、全ての処理が終了する。
【００２６】
運転者がコンテンツを切り替えたと判定された場合（ステップＳＴ２；ＹＥＳ）、情報取得部５ａは、運転者によってコンテンツが切り替えられた時間、そのときの位置、この位置の周辺状況を示す情報を取得する（ステップＳＴ４）。さらに、情報取得部５ａは、切り替え前後のコンテンツを示す情報を切り替え部５ｃから取得する。
【００２７】
この後、情報取得部５ａは、コンテンツが切り替えられた時間、そのときの位置、この位置の周辺状況を示す情報を、切り替え内容である切り替え前後のコンテンツに対応付けて、履歴情報としてメモリ６に格納する。さらに、情報取得部５ａは、履歴情報における切り替え後のコンテンツに対するカウントをインクリメントし、周辺にある地物に対するカウントもインクリメントする。ここまでの処理がステップＳＴ５に相当する。
【００２８】
次に履歴情報について詳細に説明する。
図３は、履歴情報を構成するパラメータの例を示す図である。図３に示すように、履歴情報を構成するパラメータには、コンテンツソース、場所、受信強度、天気、時間などがある。コンテンツソースは、前述したようにＦＭ放送、ＡＭ放送、ＣＤ、ＤＶＤ、ＵＳＢなどである。場所には、位置座標（緯度経度）に加え、予め定められた地物が周辺にあるか否かといった周辺状況も含まれる。地物には、トンネル、立体駐車場、山岳、高速道路などが挙げられる。
【００２９】
受信強度は、コンテンツ再生装置１がコンテンツを通信で取得する場合のパラメータである。例えば、受信部３がテレビ放送またはラジオ放送を受信したときの放送局名および受信強度があり、無線通信部７ｂが外部機器からコンテンツを受信したときの受信レベルが挙げられる。
【００３０】
また、人間の気分は、天気、時間帯によって変化することがあり、気分の変化に応じてコンテンツを切り替えることも考えられる。そこで、履歴情報のパラメータに、晴れ、曇り、雨、雪などの天気、朝、昼、夕方、夜といった時間帯も含めている。
【００３１】
図４は、履歴情報の例を示す図である。情報取得部５ａは、運転者がコンテンツを切り替えたときに、図３に示すようなパラメータの情報を取得し、履歴情報としてメモリ６に格納する。履歴情報は、例えば図４に示すように、「切り替え時間」、「位置」および「周辺状況」の項目と「カウント」の項目が、「切り替え内容」の項目に対応付けられた情報である。「切り替え内容」の項目は、切り替え前後のコンテンツを示す情報が登録される項目である。放送コンテンツでは、コンテンツソース、放送局名、受信強度、放送番組名などが登録される。また、ＣＤ、ＤＶＤなどの記録メディアに記録されたコンテンツでは、コンテンツソースである記録メディア、そのファイル名などが登録される。
【００３２】
また、「切り替え時間」、「位置」および「周辺状況」は、過去の状態と現在の状態が合致または類似しているか否かを判定する判定条件となる情報が登録される項目である。
なお、本発明における「状態」とは、コンテンツ再生装置１またはこれを搭載する車両の周辺の状態であり、時間、位置、周辺の地物などにより特定される。
「切り替え時間」の項目は、ユーザである運転者がコンテンツを切り替えた時間を示す情報が登録される項目であり、切り替えの「時刻」および「分類」の項目がある。
【００３３】
「時刻」の項目は、コンテンツが切り替えた時刻が登録される項目であり、例えば年月日時分で特定される。
「分類」の項目は、コンテンツが切り替えられた時間を、時間帯および季節で分類した項目である。人間は、時間帯、季節に応じたコンテンツを視聴したいと思うのが一般的である。例えば、朝の時間帯に放送されるニュース番組に切り替える場合が考えられる。
このように「分類」の項目は、ユーザの嗜好に合ったコンテンツを判定する上で重要な情報となり得る。
【００３４】
「位置」の項目は、運転者がコンテンツを切り替えた位置を示す情報が登録される項目であり、例えば、ＧＰＳ情報から特定された位置座標（緯度経度）が挙げられる。
なお、予め定めた距離範囲を、運転者がコンテンツを切り替えた位置として登録してもよい。例えば、切り替え位置の座標を中心とした距離範囲を「位置」に登録することにより、コンテンツが切り替えられた位置と同様な周辺状況であると予想される距離範囲についても判定条件とする。
【００３５】
また、「周辺状況」の項目は、運転者がコンテンツを切り替えた位置の周辺の様子を示す情報が登録される項目であり、「天気」および「地物」の項目を有する。
「天気」の項目は、運転者がコンテンツを切り替えた位置の周辺の天気および気温を示す情報が登録される項目であって、受信部３が受信した情報またはセンサ部４が検出した情報から特定される。例えば、受信部３によりインターネットから受信された天気情報、雨滴感知センサの検出情報、温度センサが検出した気温などを用いる。
なお、人間は、天気、気温に合ったコンテンツを視聴したいと思うのが一般的である。従って、項目「天気」の情報は、ユーザの嗜好に合ったコンテンツを判定する上で重要な情報となり得る。
【００３６】
「地物」の項目は、運転者がコンテンツを切り替えた位置の周辺の地物を示す情報が登録される項目であり、トンネル、自宅、高速道路などの地物が登録される。
例えば、運転者がコンテンツを切り替えた位置の周辺がトンネルである場合、放送電波の受信状態が悪化したために放送のコンテンツが放送以外のコンテンツに切り替えられたと予想することができる。また、自宅周辺に到達したときは、いつも同じ楽曲を聴く場合もあり、高速道路の走行では、眠気防止のためにアップテンポな楽曲に切り替えることもある。このように項目「地物」の情報は、ユーザの嗜好に合ったコンテンツを適切なタイミングで再生する上で重要な情報となり得る。
【００３７】
「カウント」の項目は、ユーザである運転者が切り替えた回数のカウント値が登録される項目であり、図４の例では「切り替えコンテンツ」および「地物」の項目がある。
「切り替えコンテンツ」の項目には、切り替え後のコンテンツとして運転者が切り替えた回数のカウント値が登録されている。
例えば、図４に示すＦＭ放送から外部機器のコンテンツへの切り替えを示す履歴情報では「切り替えコンテンツ」の項目が「３」となっており、切り替え後のコンテンツである「外部機器のファイル名□△」に３回切り替えられたことを示している。
【００３８】
なお、ユーザがコンテンツを切り替えたときの状況が同じまたは類似する場合であっても、ユーザが必ず同じコンテンツに切り替えるとは限らない。
一方、ユーザによって過去に切り替えられた回数の多いコンテンツは、ユーザの嗜好に合ったコンテンツであると予想される。
そこで、前述のように切り替え後のコンテンツに対する「カウント」項目を設けて、ユーザの嗜好に合ったコンテンツを特定し、このコンテンツに優先して切り替えられるようにしている。
【００３９】
また、「カウント」における「地物」の項目には、ユーザである運転者がコンテンツを切り替えた位置周辺の地物のカウント値が登録されている。
例えば、図４に示すＦＭ放送から外部機器のコンテンツへの切り替えを示す履歴情報では「地物」の項目が「４」となっており、「周辺状況」における項目「地物」が「トンネル内」である。これは、過去に４回、車両周辺がトンネルであるときにコンテンツが切り替えられたことを示している。
【００４０】
なお、ユーザがコンテンツを切り替えたときの周辺の地物が同じ場合、切り替え位置が異なっていても、ユーザがコンテンツを切り替えることが多い。例えば、立体駐車場では放送のコンテンツから放送以外のコンテンツに切り替える場合が多く、車両が初めて駐車する立体駐車場であっても、同様にコンテンツを切り替えることが予想される。
そこで、地物に対する「カウント」項目を設けることで、コンテンツを切り替えるべき適切なタイミングを決定することができる。
【００４１】
「切り替えコンテンツ」と「地物」に対してカウントする場合を示したが、これらのうちの少なくとも１つであってもよい。また「切り替え時間」または「位置」あるいはこれらの両方に対してカウントして、コンテンツを自動で切り替える基準としてもよい。
なお、図４に示した判定条件の項目は一例であり、これらのうちの少なくとも１つであってもよく、ユーザによりコンテンツが切り替えられた状況を特定できる項目であれば、図４に示したもの以外であってもよい。
また、ユーザによる切り替え回数のカウント対象となる項目も、ユーザがコンテンツを切り替えた状況を特定できる項目であれば、図４に示したもの以外であってもよい。
【００４２】
次に、コンテンツの自動切り替えについて説明する。
図５は、実施の形態１に係るコンテンツ再生装置１によるコンテンツの切り替え動作を示すフローチャートである。
コンテンツ再生装置１に電源投入され、車両のエンジンが起動すると、マイコン５は、入力部１１を用いて入力された情報に基づいて、車両の運転者が事前に登録されたユーザであるか否かを照合する（ステップＳＴ１ａ）。
運転者が事前に登録されたユーザでなければ、ステップＳＴ１ａの処理を繰り返す。運転者が登録されたユーザである場合は、ステップＳＴ２ａへ移行する。
【００４３】
次に、判定部５ｂは、情報取得部５ａが取得した情報によって特定される現在の状態と履歴情報における上記判定条件とを比較して現在の状態に合致または類似する過去の状態があるか否かを判定する（ステップＳＴ２ａ）。
例えば、現在の状態が過去の状態における上記判定条件の全ての項目と同じであると、現在の状態が過去の状態に合致したと判定される。なお、各項目において予め定められた誤差範囲内にあれば同一と判断する。
【００４４】
また、上記判定条件における一部の項目が同じである場合に、現在の状態が過去の状態に類似すると判定される。例えば、図４に示した「周辺状況」における「切り替え時間」と「周辺状況」の項目が一致すれば、「位置」の項目が異なっていても類似と判断する。これにより、類似した状況においてコンテンツの切り替えが可能となる。
前述したようにコンテンツが切り替えられる状況は多様であり、毎回、全く同じ状況でコンテンツが切り替えられるとは限らない。このため、類似した状況を想定することで、現実的かつ適切なタイミングでのコンテンツの切り替えが可能となる。
さらに、類似した状況を含めることにより、履歴情報の蓄積量が少ない場合においても適切な判定が可能となる。
なお、上記判定条件における項目のうち、前述した切り替え回数のカウント値が閾値を超える項目のみが一致した場合であっても、過去の状態と現在の状態とが類似すると判定してもよい。このようにしても、ユーザの嗜好に合った適切な切り替えタイミングを決定することができる。
【００４５】
現在の状態に合致または類似する過去の状態がなく（ステップＳＴ２ａ；ＮＯ）、コンテンツ再生装置１の電源がオフされない場合（ステップＳＴ３ａ；ＮＯ）、ステップＳＴ２ａの処理が繰り返される。また、電源がオフされれば（ステップＳＴ３ａ；ＹＥＳ）、全ての処理が終了する。
【００４６】
現在の状態に合致または類似した過去の状態がある場合（ステップＳＴ２ａ；ＹＥＳ）、切り替え部５ｃは、過去の状態を示す履歴情報における切り替え後のコンテンツを、切り替え候補のコンテンツとし、再生可能であるか否かを確認する（ステップＳＴ４ａ）。
例えば、切り替え候補のコンテンツが放送コンテンツである場合、受信部３にその放送コンテンツの放送局をサーチさせ、受信状態が許容範囲外であると再生不可と判断する。
また、切り替え候補のコンテンツが外部機器で再生されたコンテンツである場合、この外部機器が無線通信部７ｂと接続されていなければ、再生不可と判断する。
さらに切り替え候補のコンテンツが記録メディアに記録されたコンテンツである場合、この記録メディアが接続あるいは挿入されていなければ、再生不可と判断する。
【００４７】
切り替え候補のコンテンツが再生不可である場合（ステップＳＴ４ａ；ＮＯ）、切り替え部５ｃは、再生不可のコンテンツを切り替え候補から除く（ステップＳＴ５ａ）。
一方、切り替え候補のコンテンツが再生可能である場合（ステップＳＴ４ａ；ＹＥＳ）または再生不可のコンテンツを切り替え候補から除いた場合、切り替え部５ｃは、切り替え候補のコンテンツを示す情報を入出力制御部５ｄに通知する。
【００４８】
入出力制御部５ｄは、切り替え候補のコンテンツを並べたコンテンツリストを生成してディスプレイ１０に表示する（ステップＳＴ６ａ）。このとき、図４に示したカウント値が多い順に上位となるように切り替え候補のコンテンツをリスト表示する。
このように過去に切り替えられた回数が多いコンテンツが上位となるようにリスト表示することで、ユーザの嗜好に合ったコンテンツを優先して提示することが可能となる。
【００４９】
次に、入出力制御部５ｄは、コンテンツリストを表示してから規定時間内にコンテンツの選択操作があったか否かを確認する（ステップＳＴ７ａ）。
これは、コンテンツリストに表示されたコンテンツへの変更をユーザが所望しているとは限らないため、コンテンツリストを表示してから規定時間内では別のコンテンツの選択を可能としている。別のコンテンツとは、現在再生中のコンテンツ、コンテンツリストで下位に表示されているコンテンツ、コンテンツリストに表示されていないコンテンツであってもよい。これにより、再生するコンテンツの指定における利便性が向上する。
【００５０】
上記規定時間内にコンテンツの選択操作がなかった場合（ステップＳＴ７ａ；ＮＯ）、切り替え部５ｃは、コンテンツリストの最上位にあるコンテンツの再生に自動で切り替える（ステップＳＴ８ａ）。なお、コンテンツリストの最上位にあるコンテンツは、図４に示したカウント値が最も多い切り替え候補のコンテンツである。
このようにすることで、ユーザの嗜好に合ったコンテンツを再生することができる。
【００５１】
上記規定時間内にコンテンツリストの最上位以外のコンテンツが選択された場合（ステップＳＴ７ａ；ＹＥＳ）、切り替え部５ｃは、選択されたコンテンツの再生に切り替える（ステップＳＴ９ａ）。このとき、図２に示したステップＳＴ２からステップＳＴ５までの処理が実行されて、ユーザに選択されたコンテンツに関する履歴情報がメモリ６に格納され、切り替えのカウント値がインクリメントされる。
【００５２】
図６は、コンテンツリスト画面１０Ａの例を示す図であり、ＦＭラジオ放送の受信中に別のコンテンツに切り替える場合を示している。図６に示すように、コンテンツリスト画面１０Ａには、通知欄１２、ボタン１３およびアイコン１４ａ，１４ｂ，１４ｃ，・・・が表示されている。通知欄１２には、現在のコンテンツの再生が継続できない理由が記載される。ボタン１３は、現在のコンテンツの再生の続行を指示するためのソフトウェアボタンである。アイコン１４ａ，１４ｂ，１４ｃ，・・・は、切り替え候補のコンテンツを示している。
【００５３】
車両が経路案内されているときに放送のコンテンツを再生している場合、図４に示した履歴情報における上記判定条件となる項目、切り替え前のコンテンツの受信強度などから放送のコンテンツを受信できない地域を特定することができる。
例えば、判定部５ｂが、案内経路と「位置」の項目における切り替え位置を比較して、放送のコンテンツからの切り替えが過去に行われた場所を確認する。
入出力制御部５ｄは、判定部５ｂによる上記確認結果と切り替え部５ｃから通知された切り替え候補のコンテンツを示す情報に基づいて、通知欄１２に図６に示すような理由を記載する。
【００５４】
ボタン１３は、入力部１１を用いて操作可能である。ボタン１３を操作することで、現在のコンテンツの再生が指示されて現在再生中のＦＭ放送の受信が続行される。このようにすることで、現在のコンテンツの再生続行を容易に指示することができる。
【００５５】
アイコン１４ａは、ＣＤのコンテンツを示しており、アイコン１４ｂは、ＵＳＢのコンテンツ、アイコン１４ｃは、ＨＤＤのコンテンツを示している。入力部１１を用いて上記アイコンを操作することで、アイコンに対応付けられたコンテンツの再生を指示することができる。また、図６に示すように、アイコン１４ａをコンテンツリストの最上位に太枠で表示することで、ユーザは、現在の状態に合致または類似する過去の状態においてＣＤのコンテンツに最も多く切り替えたことを認識できる。
【００５６】
コンテンツリスト画面１０Ａがディスプレイ１０に表示されてから規定時間内にボタン１３の操作または他のコンテンツの再生操作が行われなかった場合、ＦＭ放送からＣＤのコンテンツの再生に切り替えられる。
なお、アイコンにコンテンツソースのみを記載した例を示したが、ファイル名、番組名などの具体的なコンテンツを示す情報を代わりにまたはコンテンツソースに併せて記載してもよい。
【００５７】
図７は、図６とは別のコンテンツリスト画面１０Ｂを示す図であり、コンテンツリスト画面１０Ａを表示してＣＤのコンテンツの再生に切り替えた場合を示している。
図７に示すように、コンテンツリスト画面１０Ｂには、通知欄１５、ボタン１６およびアイコン１４ｄ，１４ｂ，１４ｃ，・・・が表示されている。
通知欄１５には、現在のコンテンツから切り替え前のコンテンツの再生に復帰する理由が記載される。ボタン１６は、現在のコンテンツの再生の続行を指示するためのソフトウェアボタンである。アイコン１４ｄ，１４ｂ，１４ｃ，・・・は、切り替え候補のコンテンツを示している。
【００５８】
例えば、判定部５ｂが、案内経路と「位置」の項目における切り替え位置を比較して、放送のコンテンツに復帰する切り替えが過去に行われた場所を確認する。
入出力制御部５ｄは、判定部５ｂによる上記確認結果と切り替え部５ｃから通知された切り替え候補のコンテンツを示す情報とに基づいて、通知欄１５に図７に示すような理由を記載する。
【００５９】
ボタン１６は、入力部１１を用いて操作可能である。ボタン１６を操作することで、現在のコンテンツの再生が指示されてＣＤの再生が続行される。このようにすることで、現在のコンテンツの再生続行を容易に指示することができる。
【００６０】
アイコン１４ｄはＦＭ放送のコンテンツを示している。入力部１１を用いて上記アイコンを操作することで、アイコンに対応付けられたコンテンツの再生を指示することができる。また、図７に示すように、アイコン１４ｄをコンテンツリストの最上位に太枠で表示することで、ユーザは、現在の状態に合致または類似する過去の状態においてＦＭ放送のコンテンツに最も多く切り替えたことを認識できる。
【００６１】
コンテンツリスト画面１０Ｂがディスプレイ１０に表示されてから規定時間内にボタン１６の操作または他のコンテンツの再生操作が行われなかった場合、ＣＤからＦＭ放送のコンテンツの再生に切り替えられる。
なお、図７においてもアイコンにコンテンツソースのみを記載した例を示したが、ファイル名、番組名などの具体的なコンテンツを示す情報を代わりにまたはコンテンツソースに併せて記載してもよい。
【００６２】
また、図２および図５に示した動作において運転者を照合する場合を示したが、運転者の照合処理を省略してもよい。
さらに、図６、図７では、再生するコンテンツのコンテンツソースを切り替える場合を示したが、本発明は、同じコンテンツソースのコンテンツを切り替える場合にも適用可能である。
【００６３】
以上のように、実施の形態１に係るコンテンツ再生装置１は、判定部５ｂと切り替え部５ｃを備える。判定部５ｂは、過去にコンテンツが切り替えられた時間、位置および周辺状況が示す過去の状態に現在の状態が合致または類似するか否かを判定する。切り替え部５ｃは、再生するコンテンツを、判定部５ｂにより現在の状態に合致または類似すると判定された過去の状態で切り替えられたコンテンツに切り替える。
このように構成することで、過去にコンテンツが切り替えられた状態に合致または類似した状態を判定することで、コンテンツを切り替える適切なタイミングを決定することができる。また、ユーザが切り替えた実績のあるコンテンツに切り替わるので、ユーザの嗜好に合ったコンテンツを再生することができる。
【００６４】
また、実施の形態１に係るコンテンツ再生装置１は、コンテンツが切り替えられた時間、位置、周辺状況、切り替え前後のコンテンツを取得して、履歴情報としてメモリ６に記憶する情報取得部５ａを備える。判定部５ｂは、この履歴情報に基づいて過去にコンテンツが切り替えられた時間、位置および周辺状況が示す過去の状態に現在の状態が合致または類似するか否かを判定する。切り替え部５ｃは、再生するコンテンツを、判定部５ｂが現在の状態に合致または類似すると判定した過去の状態の履歴情報における切り替え後のコンテンツに切り替える。このように構成することで、ユーザがコンテンツを切り替える度に履歴情報を格納することができる。
【００６５】
さらに、実施の形態１における切り替え部５ｃは、再生するコンテンツを、判定部５ｂが現在の状態に合致または類似すると判定した過去の状態の履歴情報における切り替え後のコンテンツのうち、過去に切り替えられた回数が多いコンテンツに優先して切り替える。このように構成することで、ユーザの嗜好に合ったコンテンツに切り替えて再生することができる。
【００６６】
さらに、実施の形態１における切り替え部５ｃは、再生するコンテンツを、判定部５ｂが現在の状態に合致または類似すると判定した過去の状態の履歴情報のうち、過去にコンテンツが切り替えられた回数が多い周辺状況を含む履歴情報における切り替え後のコンテンツに優先して切り替える。このように構成することで、ユーザが過去に切り替えた実績に応じた適切なタイミングでコンテンツの切り替えを行うことができる。
【００６７】
さらに、実施の形態１に係るコンテンツ再生装置１は、優先するコンテンツを上位に並べたリストをディスプレイ１０に表示し、切り替えの可否の入力を受け付ける入出力制御部５ｄを備える。このように構成することで、ユーザが現在の状態に合致または類似する過去の状態で最も多く切り替えたコンテンツを認識することができる。また、切り替えの可否の入力を受け付けることで、再生するコンテンツの指定における利便性が向上する。
【００６８】
さらに、実施の形態１において、コンテンツが切り替えられた時間は、切り替え時間に加え、その時間帯および季節のうちの少なくとも１つを含んでいる。これにより、ユーザの嗜好に合ったコンテンツをより的確に特定することができる。
【００６９】
さらに、実施の形態１において、コンテンツが切り替えられた位置の周辺状況は、この位置周辺の天気、気温および地物のうちの少なくとも１つを含んでいる。このようにしても、ユーザの嗜好に合ったコンテンツをより的確に特定することができる。
【００７０】
なお、本発明はその発明の範囲内において、実施の形態の任意の構成要素の変形、もしくは実施の形態の任意の構成要素の省略が可能である。
【符号の説明】
【００７１】
１  コンテンツ再生装置、２  アンテナ、３  受信部、４  センサ部、５  マイコン、５ａ  情報取得部、５ｂ  判定部、５ｃ  切り替え部、５ｄ  入出力制御部、６  メモリ、７  コンテンツソース、７ａ  ディスク再生部、７ｂ  無線通信部、７ｃ  ＵＳＢ、７ｄ  ＨＤＤ、８  アンプ、９  スピーカ、１０  ディスプレイ、１０Ａ，１０Ｂ  コンテンツリスト画面、１１  入力部、１２，１５通知欄、１３，１６  ボタン、１４ａ〜１４ｄ  アイコン。
【図１】
2016143435.tif 000003
【図２】
2016143435.tif 000004
【図３】
2016143435.tif 000005
【図４】
2016143435.tif 000006
【図５】
2016143435.tif 000007
【図６】
2016143435.tif 000008
【図７】
2016143435.tif 000009